(57)【要約】【課題】購入した既製品の衣類が購入者の体型に合わない事態を可及的に回避すること。【解決手段】マネキン像付きサイズ一覧表１には、所定の身長に対して、胸囲、ウエスト、ヒップのデータに基づいて作成された複数のマネキン像２が、同一の倍率で一覧可能に表示されている。同一の胸囲データのマネキン像２で構成された列Ｍ１〜Ｍ７が、並列に配置されている。胸囲データの大きさは、列Ｍ１から列Ｍ７に移行するに従って、所定量で順次増大する。列Ｍ１〜Ｍ７のそれぞれで、マネキン像２のウエストデータの大きさが、列の左下から右上に移行するに従って順次増大する。各マネキン像２には、そのマネキン像２の胸囲、ウエスト、ヒップのデータが併記されている。【選択図】図１
2014084544.tif 000002
【特許請求の範囲】
【請求項１】
既製品の衣類を選択するために使用される身体のサイズ一覧表であって、
所定の身長に対して、胸囲、ウエスト、ヒップのデータに基づいて作成された複数のマネキン像が、一覧可能に表示されており、
同一の胸囲データのマネキン像で構成された列が、並列に配置され、
胸囲データの大きさは、一端の列から他端の列に移行するに従って、所定量で順次増大し、
各列で、マネキン像のウエストデータ又はヒップデータの大きさが、列の一端から他端に移行するに従って順次増大し、
各マネキン像には、そのマネキン像の胸囲、ウエスト、ヒップのデータが併記されていることを特徴とするマネキン像付きサイズ一覧表。
【請求項２】
各列で、マネキン像のウエストデータの大きさが、列の一端から他端に移行するに従って順次増大し、男性用として使用される請求項１に記載のマネキン像付きサイズ一覧表。
【請求項３】
各列で、マネキン像のヒップデータの大きさが、列の一端から他端に移行するに従って、所定量で順次増大し、女性用として使用される請求項１に記載のマネキン像付きサイズ一覧表。
【請求項４】
マネキン像が衣類像を着せられており、この衣類像の内側におけるマネキン像の輪郭が視認可能である請求項１〜３の何れか１項に記載のマネキン像付きサイズ一覧表。
【請求項５】
マネキン像が、衣類の型紙の作成に使用されるものである請求項１〜４の何れか１項に記載のマネキン像付きサイズ一覧表。
【発明の詳細な説明】
【技術分野】
【０００１】
本発明は、既製品の衣類を選択するために使用されるマネキン像付きサイズ一覧表に関する。
【背景技術】
【０００２】
近年、衣類は、オーダーメイドで販売されるより、既製品として販売されることが多い。既製品は、大量生産により価格を低く抑えることが可能である。また、既製品の形状は、国民の標準体型等を基に決められているため、そのシルエットが良好である（特許文献１参照）。
【先行技術文献】
【特許文献】
【０００３】
【特許文献１】特開２００４−９１９４５号公報
【発明の概要】
【発明が解決しようとする課題】
【０００４】
しかしながら、消費者の体型は様々であり、標準体型から外れた体型の消費者では、購入した既製品が体型に合わない事態が発生する場合がある。また、消費者が既製品を購入する際に、サイズの選択を誤ることによっても、購入した既製品が体型に合わない事態が発生する場合がある。
【０００５】
本発明は、上記事情に鑑み、購入した既製品の衣類が購入者の体型に合わない事態を可及的に回避することを課題とする。
【課題を解決するための手段】
【０００６】
前記課題を解決するための本発明に係るマネキン像付きサイズ一覧表は、既製品の衣類を選択するために使用される身体のサイズ一覧表であって、所定の身長に対して、胸囲、ウエスト、ヒップのデータに基づいて作成された複数のマネキン像が、一覧可能に表示されており、同一の胸囲データのマネキン像で構成された列が、並列に配置され、胸囲データの大きさは、一端の列から他端の列に移行するに従って、所定量で順次増大し、各列で、マネキン像のウエストデータ又はヒップデータの大きさが、列の一端から他端に移行するに従って順次増大し、各マネキン像には、そのマネキン像の胸囲、ウエスト、ヒップのデータが併記されていることを特徴とする。
【０００７】
ここで、胸囲は、女性の場合にはバストを意味する（以下、同じ）。また、併記とは、マネキン像の上に表示する場合を含むものとする（以下、同じ）。
【０００８】
この構成のマネキン像付きサイズ一覧表であれば、各マネキン像の胸囲、ウエスト、ヒップのデータによって、様々な体型を網羅することが可能である。これにより、標準体型から外れた体型の消費者にも対応することが可能である。また、マネキン像がデータの大きさの順に規則正しく並んでおり、また、マネキン像で体型を確認することができるので、サイズの選択を誤ることを抑制することができる。これらの理由によって、購入した既製品の衣類が購入者の体型に合わない事態を可及的に回避することが可能となる。
【０００９】
上記構成において、各列で、マネキン像のウエストデータの大きさが、列の一端から他端に移行するに従って順次増大し、男性用として使用されるものであってもよい。
【００１０】
この構成であれば、各列（同じ大きさの胸囲データ）で、ウエストデータの大きさが、順次変化していく。このデータの変化の仕方は、男性の体型における変化の仕方に適合したものであるので、より男性の体型に合ったサイズの一覧表とすることができる。
【００１１】
上記構成において、各列で、マネキン像のヒップデータの大きさが、列の一端から他端に移行するに従って、所定量で順次増大し、女性用として使用されるものであってもよい。
【００１２】
この構成であれば、各列（同じ大きさの胸囲データ）で、ヒップデータの大きさが、所定量で順次変化していく。このデータの変化の仕方は、女性の体型における変化の仕方に適合したものであるので、より女性の体型に合ったサイズ一覧表とすることができる。
【００１３】
上記何れかの構成において、マネキン像が衣類像を着せられており、この衣類像の内側におけるマネキン像の輪郭が視認可能であってもよい。
【００１４】
この構成であれば、実際に衣類を身に付けた時の衣類と身体との間のゆとり等をマネキン像と衣類像によって確認できる。従って、このサイズ一覧表に基づいてより適切なサイズを消費者が選択することが可能となる。
【００１５】
上記何れかの構成において、マネキン像が、衣類の型紙の作成に使用されるものであってもよい。
【００１６】
この構成であれば、消費者が選択するマネキン像のデータ（サイズ）に基づいて衣類が製造されるので、より確実に、購入した既製品の衣類が購入者の体型に合うようにすることができる。
【発明の効果】
【００１７】
本発明によれば、購入した既製品の衣類が購入者の体型に合わない事態を可及的に回避することができる。
【図面の簡単な説明】
【００１８】
【図１】本発明の第１実施形態に係るマネキン像付きサイズ一覧表を示す図である。
【図２】本発明の第２実施形態に係るマネキン像付きサイズ一覧表を示す図である。
【図３】（Ａ）が図１におけるＸのマネキン像の拡大図で、（Ｂ）が（Ａ）のマネキン像の変形例である。
【図４】（Ａ）が図２におけるＹのマネキン像の拡大図で、（Ｂ）が（Ａ）のマネキン像の変形例である。
【図５】（Ａ）が図４におけるマネキン像の図で、（Ｂ）が図４における衣類像の図である。
【発明を実施するための形態】
【００１９】
本発明を実施するための形態では、本発明を実施するために、デジタルファッション（株）製の３次元ボディー上に３次元形状の型紙を作成することのできるソフトウェア（商品名『ルックス・テーラー・テン』（ＬｏｏｋＳｔａｉｌｏｒＸ））を使用した。以下、
本発明を実施するための形態について図面に基づき説明する。
【００２０】
図１は、本発明の第１実施形態に係るマネキン像付きサイズ一覧表を示す。このサイズ一覧表１は、既製品の衣類を選択するために使用される身体のサイズ一覧表である。また、このサイズ一覧表１は、身長１７０ｃｍの男性用である。
【００２１】
図１に示すように、サイズ一覧表１には、所定の身長（１７０ｃｍ）に対して、胸囲、ウエスト、ヒップのデータに基づいて作成された複数のマネキン像２が、立体的に表示（３Ｄ表示）されている。これらのマネキン像２は、それぞれが所定の身長、固有の胸囲、固有のウエスト、固有のヒップのデータを反映した固有の形状となっている。これらのマネキン像２は、同一の倍率で一覧可能に表示されている。
【００２２】
なお、図示は省略するが、マネキン像２の身長のデータが１５５，１６０，１６５，１７５，１８０，１８５，１９０ｃｍである一覧表１も本実施形態には存在する。つまり、本実施形態では、１５５ｃｍから１９０ｃｍまで、５ｃｍきざみの身長に対する一覧表１（８つ）が存在する。
【００２３】
サイズ一覧表１には、同一の胸囲データに基づいて作成されたマネキン像２によって構成された列Ｍ１〜Ｍ７が、並列に配置されている（実線で区切って示す）。本実施形態では、列Ｍ１〜Ｍ７は、右側が左側に比べて斜め上になるように直線状に並んでいる。また、列としては、左側が右側に比べて斜め上になるように直線状に並んだ（列Ｍ１〜Ｍ７に対して交わる）列ｍ１〜ｍ７も考えられる（点線で区切って示す）。各マネキン像２を作成するのに使用した胸囲、ウエスト、ヒップのデータを、この列Ｍ１〜Ｍ７と列ｍ１〜ｍ７を基準にして、次の表１に示す。なお、表１では、胸囲のデータをＣ、ウエストのデータをＷ、ヒップのデータをＨと表示する。
【００２４】
【表１】
2014084544.tif 000003
【００２５】
表１から分かるように、胸囲データの大きさは、列Ｍ１から列Ｍ７に移行するに従って、所定量で順次増大し、本実施形態では、４ｃｍずつ増大する。
【００２６】
そして、列Ｍ１〜Ｍ７のそれぞれで、マネキン像２のウエストデータの大きさが、左下側から右上側（列ｍ１の側から列ｍ７の側）に移行するに従って順次増大する。
【００２７】
各マネキン像２には、そのマネキン像２を作成するために使用された胸囲、ウエスト、ヒップのデータが併記されている。本実施形態では、図３（Ａ）に拡大して示すように、マネキン像２上の胸囲、ウエスト、ヒップを示すライン（それぞれ、Ｌｃ，Ｌｗ，Ｌｈ）の下側近傍にそれぞれのデータ（Ｄｃ，Ｄｗ，Ｄｈ）が表示されている。また、マネキン像２の上方に、そのマネキン像２固有のコードが表示されている。また、図１及び図３（Ａ）では、マネキン像２の３Ｄ表示の表面形状を、表面に沿った仮想の線で表現しているが、図３（Ｂ）に示すように、色の濃淡でマネキン像２の３Ｄ表示の表面形状を表現してもよい。また、図３（Ｂ）に示すように、マネキン像２上の胸囲、ウエスト、ヒップを示すライン（それぞれ、Ｌｃ，Ｌｗ，Ｌｈ）の上にそれぞれのデータ（Ｄｃ，Ｄｗ，Ｄｈ）が表示されてもよい。
【００２８】
本実施形態のサイズ一覧表１は、例えば、次のように作成する。
【００２９】
まず、日本人の男性の標準とされる体型における身長、胸囲、ウエスト、ヒップのデータを入手する。このデータは、例えば、一般社団法人人間生活工学研究センター等が保有する国民の体型の統計データ等を使用すればよい。
【００３０】
そして、これらの身長、胸囲、ウエスト、ヒップのデータを反映する３Ｄ表示のマネキン像２を１つ作成する。マネキン像２は、本実施形態では、上述のソフトウェアＬｏｏｋＳｔａｉｌｏｒＸで作成した。
【００３１】
この１つのマネキン像２の身長データを変更して、身長データが１７０ｃｍであるマネキン像２を作成する。この身長データの変更の際には、変更後のマネキン像２の形状が変更前の（標準体型を反映した）マネキン像２の形状と相似となるようにすることが好ましい。
【００３２】
そして、このマネキン像２の胸囲データを変更して、胸囲データが８０，８４，８８，９２，９６，１００，１０４ｃｍの７つのマネキン像２を作成する。
【００３３】
これら７つのマネキン像２のそれぞれについて、（胸囲データは一定にして）ウエストデータを変更したマネキン像２を複数作成し、これらを並べて列Ｍ１〜Ｍ７を形成する。この際、ヒップデータもウエストデータと矛盾しないように適宜変更する。
【００３４】
更に、以上の手順と同様にして、標準のマネキン像２の身長データを変更し、その他の身長データのマネキン像２を作成すれば、その他の身長の男性に対する一覧表１を作成できる。このようにして、本実施形態では、１５５ｃｍから１９０ｃｍまで、５ｃｍきざみの身長に対する一覧表１を作成する。
【００３５】
また、本実施形態のサイズ一覧表１は、例えば、次のように使用する。
【００３６】
衣類の販売会社、あるいは製造メーカは、そのホームページ上に、１５５ｃｍから１９０ｃｍまで、５ｃｍきざみの身長データに対する男性用のサイズ一覧表１が表示可能なように設定する。
【００３７】
消費者（ここでは、男性、身長は約１７０ｃｍ、胸囲は約９２ｃｍ、ウエストは約７９ｃｍ、ヒップは約９１ｃｍとする）は、自宅のパソコンのモニター上で、１５５ｃｍから１９０ｃｍまで、５ｃｍきざみの身長データに対する男性用のサイズ一覧表１から自分の身長に近い身長１７０ｃｍの男性用のサイズ一覧表１を選択し表示させる。
【００３８】
消費者は、表示されたサイズ一覧表１の列Ｍ１〜Ｍ７から自分の胸囲に近い列を探し、次に自分のウエスト、ヒップに近いものを探す。すると、列Ｍ４における列ｍ４のマネキン像２の胸囲、ウエスト、ヒップデータ（９２ｃｍ、７９ｃｍ、９１ｃｍ）が見つかる。このマネキン像２に併記されているコードＮＪ−１５−５が、その消費者のサイズのコードとなる。そして、消費者は、ホームページから衣類を購入する時に、そのコードＮＪ−１５−５によってサイズを指定する。
【００３９】
あるいは、ホームページから購入する衣類を決めてから、このサイズ一覧表１を表示するように設定してもよい。この場合には、列Ｍ１における列ｍ４のマネキン像２をクリックすることで、サイズを指定するようにすることができる。この場合は、サイズ一覧表１においてコードの表示は不要となる。
【００４０】
また、本実施形態のサイズ一覧表１は、販売店の店頭に設置して使用してもよい。この場合には、消費者が、店頭でこのサイズ一覧表１から自分に合うコードを探す。
【００４１】
以上に説明したサイズ一覧表１では、次のような効果が享受できる。
【００４２】
各マネキン像２の胸囲、ウエスト、ヒップのデータによって、様々な体型を網羅することが可能である。これにより、標準体型から外れた体型の消費者にも対応することが可能である。また、マネキン像２がデータの大きさの順に規則正しく並んでおり、また、マネキン像２で体型を確認することができるので、サイズの選択を誤ることを抑制することができる。これらの理由によって、購入した既製品の衣類が購入者の体型に合わない事態を可及的に回避することが可能となる。
【００４３】
また、列Ｍ１〜Ｍ７のそれぞれ（同じ大きさの胸囲データ）で、ウエストデータの大きさが、順次変化していく。このデータの変化の仕方は、男性の体型における変化の仕方に適合したものであるので、男性の体型に合ったサイズ一覧表となる。
【００４４】
図２は、本発明の第２実施形態に係るマネキン像付きサイズ一覧表を示す。このサイズ一覧表１は、女性用である。図２では、全てのマネキン像２を作成するのに使用した身長のデータは１６０ｃｍである。図示は省略するが、マネキン像２の身長のデータが１５０，１５５，１６５，１７０，１７５，１８０ｃｍである一覧表１も本実施形態には存在する。つまり、本実施形態では、１５０ｃｍから１８０ｃｍまで５ｃｍきざみの身長に対する一覧表１（７つ）が存在する。なお、図２〜５、表２では、胸囲のデータをＢ、ウエストのデータをＷ、ヒップのデータをＨと表示する。
【００４５】
図２に示すように、サイズ一覧表１には、同一の胸囲データに基づいて作成されたマネキン像２によって構成された列Ｗ１〜Ｗ７が、並列に配置されている（実線で区切って示す）。本実施形態では、列Ｗ１〜Ｗ７は、右側が左側に比べて斜め上になるように直線状に並んでいる。また、列としては、左側が右側に比べて斜め上になるように直線状に並んだ（列Ｗ１〜Ｗ７に対して交わる）列ｗ１〜ｗ７も考えられる（点線で区切って示す）。各マネキン像２を作成するのに使用した胸囲、ウエスト、ヒップのデータを、この列Ｗ１〜Ｗ７と列ｗ１〜ｗ７を基準にして、次の表２に示す。
【００４６】
【表２】
2014084544.tif 000004
【００４７】
表１から分かるように、胸囲データの大きさは、列Ｗ１から列Ｗ７に移行するに従って、所定量で順次増大し、本実施形態では、５ｃｍずつ増大する。
【００４８】
そして、列Ｗ１〜Ｗ７のそれぞれで、マネキン像２のヒップデータの大きさが、左下側から右上側（列ｗ１側から列ｗ７側）に移行するに従って、所定量で順次増大し、本実施形態では、４ｃｍづつ増大する。
【００４９】
各マネキン像２には、そのマネキン像２を作成するために使用された胸囲、ウエスト、ヒップのデータが併記されている。本実施形態では、図４（Ａ）に拡大して示すように、マネキン像２の左側方に、そのマネキン像２固有のコードと共に、胸囲（Ｂ）、ウエスト（Ｗ）、ヒップ（Ｈ）のデータが表示されている。これらのデータは、図５（Ａ）に示すマネキン像２における胸囲、ウエスト、ヒップを示すライン（それぞれ、Ｌｂ，Ｌｗ，Ｌｈ）におけるデータに対応している。
【００５０】
そして、本実施形態では、図４に示すように、マネキン像２は、３Ｄ表示の衣類像３を着せられている。更に、衣類像３の内側におけるマネキン像２の輪郭が視認可能である。この衣類像３は、本実施形態ではドレスをイメージしているが、これに限定されるものではない。
【００５１】
これによって、実際に衣類を身に付けた時の衣類と身体との間のゆとり等をマネキン像２と衣類像３によって確認できる。従って、このサイズ一覧表１に基づいて適切なサイズを消費者が選択することが可能となる。
【００５２】
このようなマネキン像２に衣類像３を着せた状態も、本実施形態では、上述のソフトウェアＬｏｏｋＳｔａｉｌｏｒＸにより、作成した。更に、上述のソフトウェアＬｏｏｋＳ
ｔａｉｌｏｒＸにより、衣類像３に縫い目となる線を入れて、平面に展開することで衣類
の型紙を作成することが可能である。このように衣類像３から作成した型紙を使用して実際の衣類を製造すれば、製造された衣類と、サイズ一覧表でサイズを選んで購入した人の体型との関係は、サイズ一覧表１での衣類像３とマネキン像２との関係に近くなる。従って、より確実に、購入した既製品の衣類が購入者の体型に合うことになる。
【００５３】
なお、図２及び図４（Ａ）では、マネキン像２と衣類像３の３Ｄ表示の表面形状を、表面に沿った仮想の線で表現しているが、図４（Ｂ）に示すように、色の濃淡でマネキン像２の３Ｄ表示の表面形状を表現してもよい。
【００５４】
本実施形態のサイズ一覧表１では、列Ｗ１〜Ｗ７のそれぞれ（同じ大きさの胸囲データ）で、ヒップデータの大きさが、４ｃｍづつ順次変化していく。このデータの変化の仕方は、女性の体型における変化の仕方に適合したものであるので、女性の体型に合ったサイズ一覧表となる。
【００５５】
本実施形態のマネキン像２は、上記の第１実施形態と同様の作成方法で作成したマネキン像２より、ウエストのデータが少し大きくなっている。また、本実施形態のマネキン像２は、最低限、ドレスで被覆される部分が表示されていればよいので、脚が２つに分かれていないものとなっている。
【００５６】
この他の効果や作成方法、使用方法については、第１実施形態と同様なので、説明を省略する。
【００５７】
なお、本発明のマネキン像付きサイズ一覧表１を使用することによって、次のような産業上有益な効果が得られる。
【００５８】
製造業者は、既製服を製造する際に、一定期間の間に注文が入ったサイズのものだけを製造するようにすれば、全てのサイズを一定量製造する必要が無くなり、コスト削減を行なうことができる。
【００５９】
販売業者は、サイズが合わないことによる返品や交換が減少し、その手間が減る。また、自分に合うサイズの衣類（デザイン）の種類が増えるので、自分に合うサイズの衣類（デザイン）が少なかった人が購入する衣類が増大し、新規顧客が増大する。また、１種類の衣類につき１つだけを見本として店頭に置いておき、実際の注文のサイズに合わせて製造業者に注文すれようにすれば、店頭に並べておく衣類を少なくすることができ、狭いスペースでも多くの種類の衣類を販売することが可能となる。
【００６０】
消費者は、サイズ合わせが確実にできるので、返品や交換の手間が減少する。また、既製服でもフィット感や着心地が良好なものとなる。自分に合うサイズの衣類（デザイン）の種類が増えるので、自分に合うサイズの衣類（デザイン）が少なかった人の選択肢が増える。サイズ合わせを細かく行なうようになり、衝動買いが減り、計画的な買い物の習慣がつくことが期待される。また、サイズが合わない時のために２種類のサイズを買うということが減少する。
【００６１】
業界全体では、２種類のサイズを買うことや衝動買いが減少することで、買い過ぎが減るので、いわゆるエコファッションを実現することができる。また、上述のようなコスト削減によって、小さな製造メーカの経営が良好になり、また、デザイナーが独立開業し易くなるので、関連する国内、地域産業の活性化が期待できる。
【００６２】
本発明は、以上の説明に限定されること無く、その技術的思想の範囲で様々な変形が可能である。例えば、第１実施形態と第２実施形態のそれぞれでは、マネキン像２は全て同一の倍率で表示されていたが、一部のマネキン像２が異なる倍率で表示されていてもよい。
【符号の説明】
【００６３】
１      マネキン像付きサイズ一覧表
２      マネキン像
３      衣類像
Ｍ１〜Ｍ７  列
Ｗ１〜Ｗ７  列
【図１】
2014084544.tif 000005
【図２】
2014084544.tif 000006
【図３】
2014084544.tif 000007
【図４】
2014084544.tif 000008
【図５】
2014084544.tif 000009